(57)【特許請求の範囲】
【請求項１】
心電情報を構成する複数誘導のＳＴ計測値を同一画面上に一括表示する生体情報の一括表示方法であって、
前記ＳＴ計測値の大きさに応じた所定の色階調を定義するステップと、
被測定対象から前記複数誘導のＳＴ計測値を取得するステップと、
前記取得された複数誘導のＳＴ計測値に対して、前記ステップで定義された色階調の表示要素を決定するステップと、
前記決定された色階調の表示要素を前記複数誘導のＳＴ計測値毎に、時間軸に沿って表示画面上に帯状に表示するステップと、
を含むことを特徴とする生体情報の一括表示方法。
【請求項２】
前記複数誘導のＳＴ計測値は、前記心電情報を構成する１２誘導ＳＴ計測値であることを特徴とする請求項１に記載の生体情報の一括表示方法。
【請求項３】
前記所定の色階調を定義するステップでは、
前記ＳＴ計測値の異常値に対して特有の色階調を設定することを特徴とする請求項１又は２に記載の生体情報の一括表示方法。
【請求項４】
心電情報を構成する複数誘導のＳＴ計測値を同一画面上に一括表示する心電情報の一括表示装置であって、
前記ＳＴ計測値の大きさに応じた所定の色階調を定義する色階調設定手段と、
前記複数誘導のＳＴ計測値を取得するＳＴ計測値取得手段と、
前記取得された前記複数誘導のＳＴ計測値に対して、前記定義された色階調の表示要素を決定する色階調割当手段と、
前記決定された色階調の表示要素を前記複数誘導のＳＴ計測値毎に、時間軸に沿って表示画面上に帯状に表示する表示手段と、
を含むことを特徴とする生体情報の一括表示装置。
【発明の詳細な説明】
【技術分野】
【０００１】
本発明は、生体情報である心電情報を構成するＳＴ計測値の一括表示方法及び一括表示装置に関する。
【背景技術】
【０００２】
心電情報の１２誘導ＳＴ計測値の表示例として以下のものが知られている。（特許文献１参照）
特許文献１には以下のことが記載されている。
図４において、例示として、１２誘導の中のいくつかの誘導波形由来のＳＴレベルが異常値である場合を示している。以下、それぞれの異常値について説明する。
誘導IIIの誘導波形のＳＴレベルを示す線７０は、上限値を超えており、異常値色Ｘ（グラフ表示形態）で描画（プロット）されている。
また、誘導III由来のＳＴレベルが上限値を超えたことを示すために、図では、ディスプレイ上部の（誘導III用の）誘導アイコン６０を線７０と同様の異常値色Ｘで表示する（データの種類の表示形態を、そのデータのグラフ表示形態と同様にする）。
誘導Ｖ５の誘導波形のＳＴレベルを示す線７２は、下限値を超えており、その下限値を超えた部分が異常値色Ｙで描画されている。
また、誘導Ｖ５由来のＳＴレベルが下限値を超えたことを示すために、図では、ディスプレイ下部の（誘導Ｖ５用の）誘導アイコン６２を線７２と同様の異常値色Ｙで表示する。
誘導ａＶＦの誘導波形のＳＴレベルを示す線７１は、上限値を超えた部分があり、その上限値を超えた部分が異常値色Ｚで描画されている。
また、誘導ａＶＦ由来のＳＴレベルが上限値を超えたことを示すために、図では、ディスプレイ上部の（誘導ａＶＦ用の）誘導アイコンの外枠６１を線７１の上限値を超えた部分と同様の異常値色Ｚで表示する。
ただし、現在の誘導ａＶＦ由来のＳＴレベルは正常値の範囲に戻っているので、誘導アイコンの内枠６１ａは正常値色で表示する。
【０００３】
【特許文献１】ＷＯ２００４−０２３９９４
【発明の開示】
【発明が解決しようとする課題】
【０００４】
上記特許文献１に記載のものは、図４に示す如く、複数のＳＴ計測値を時間軸に沿って折れ線グラフで表示しているので、複数のＳＴ計測値が交錯して個々のＳＴ計測値の変動の確認をすることが容易ではなかった。
【０００５】
本発明の課題（目的）は、心電情報の複数のＳＴ計測値を同一表示画面上に相互に区
別のつく態様で一括表示することによって、どの誘導（心臓の部位）において虚血性心疾
患などが発生しているかを簡単に把握することが可能な生体情報の一括表示方法及び一括表示装置を提供することにある。
【課題を解決するための手段】
【０００６】
前記課題を解決するために、心電情報を構成する複数誘導のＳＴ計測値を同一画面上に一括表示する生体情報の一括表示方法であって、前記ＳＴ計測値の大きさに応じた所定の色階調を定義するステップと、被測定対象から前記複数誘導のＳＴ計測値を取得するステップと、前記取得された複数誘導のＳＴ計測値に対して、前記ステップで定義された色階調の表示要素を決定するステップと、前記決定された色階調の表示要素を前記複数誘導のＳＴ計測値毎に、時間軸に沿って表示画面上に帯状に表示するステップとを含むことを特徴とする。（請求項１）
【０００７】
また、前記複数誘導のＳＴ計測値は、前記心電情報を構成する１２誘導ＳＴ計測値であ
ることを特徴とする。（請求項２）
また、前記所定の色階調を定義するステップでは、前記ＳＴ計測値の異常値に対して特有の色階調を設定することを特徴とする。（請求項３）
【０００８】
また、心電情報を構成する複数誘導のＳＴ計測値を同一画面上に一括表示する心電情報の一括表示装置であって、前記ＳＴ計測値の大きさに応じた所定の色階調を定義する色階調設定手段と、前記複数誘導のＳＴ計測値を取得するＳＴ計測値取得手段と、前記取得された前記複数誘導のＳＴ計測値に対して、前記定義された色階調の表示要素を決定する色階調割当手段と、前記決定された色階調の表示要素を前記複数誘導のＳＴ計測値毎に、時間軸に沿って表示画面上に帯状に表示する表示手段とを含むことを特徴とする。（請求項４）
【発明の効果】
【０００９】
本発明によれば、心電情報の複数誘導のＳＴ計測値を同一表示画面上に相互に区別のつく態様で一括表示することによって、どの誘導（心臓の部位）において虚血性心疾患などが発生しているかを簡単に把握することが可能な生体情報の一括表示方法及び一括表示装置を実現できる。
【発明を実施するための最良の形態】
【００１０】
次に本発明の心電情報を構成する１２誘導ＳＴ計測値の一括表示方法及び一括表示装置について図１〜図３を用いて説明する。
【００１１】
図１は本発明の心電情報を構成する１２誘導計測値の一括表示装置の構成を示すブロック図である。
１は図示しない生体情報測定装置（例えば、心電情報測定装置）内に設けられる、本発明の心電情報を構成する１２誘導ＳＴ計測値を同一画面上に一括表示する心電情報の一括表示装置である。
本発明の心電情報一括表示装置１は、１２誘導ＳＴ値の大きさに応じた所定の色階調を定義する色階調設定手段２と、患者の心電位を計測して１２誘導ＳＴ計測値として取得するＳＴ計測値取得手段３と、取得された１２誘導ＳＴ計測値に対して、前記色階調設定手段２で定義された色階調の表示要素を決定する色階調割当手段４と、決定された色階調の表示要素を前記１２誘導ＳＴ計測値毎に、時間軸に沿って表示画面上に帯状に表示する表示手段５と、制御手段（ＣＰＵ）６とで構成されている。
【００１２】
前記色階調設定手段２は、次のようにして、ＳＴ値の大きさに応じた所定の色階調を定義する。
ＳＴ値が、ｍＶ単位の場合には、−２．５５〜＋２．５５ｍVの範囲で、ＳＴ値の大きさに応じて２５６色（あるいは、それ以上）を割り当てて、数値を色階調の変化として表現する。
また、ｍｍ単位の場合には、−２５．５〜＋２５．５ｍｍの範囲で、ＳＴ値の大きさに応じて２５６色（あるいは、それ以上）を割り当てて、数値を色階調の変化として表現する。
なお、ＳＴ値に対する色階調の割り当てに際しては、異常値に相当するＳＴ値に対しては、他と識別し易い色階調を割り当てるのが良い。
【００１３】
しかし、実際のＳＴ値の変化は、測定範囲の極小さな範囲で発生することが多いので、例えば、−０．５０〜＋０．５０ｍＶ等の小さな範囲においては、それ以外の範囲に比較して小さな刻みで色階調を定義しても良い。
【００１４】
前記ＳＴ計測値取得手段３は、患者の生体に固定されたＥＣＧ電極（例えば、患者の胸部誘導のための６箇所及び四肢誘導のための４箇所）によって、計測された心電位を演算処理して、標準１２誘導の四肢６誘導波形（I、II、III、aVR、aVL、aVF）及び胸部６誘導波形（V1、V2、V3、V4、V5、V6）からなる心電情報を構成する１２誘導ＳＴ計測値を取得する。
【００１５】
色階調割当手段４は、前記ＳＴ計測値取得手段３で取得した１２誘導ＳＴ計測値に、前記色階調設定手段２で定義された表示要素の色階調を割り当てる。
【００１６】
表示手段５は、生体情報測定装置（例えば、心電情報測定装置）の測定結果を表示する表示部であって、当該表示手段は、生体情報測定装置と一体的に構成されているのが普通であるが、生体情報測定装置とは別に（例えば、ナースセンター等）設置しても良い。
【００１７】
制御手段（ＣＰＵ）６は、色階調設定手段２、ＳＴ計測値取得手段３、色階調割当手段４の出力に応じて、表示手段５に本発明による心電情報の一括表示のための制御を実行する。
なお、図１では、制御手段（ＣＰＵ）は、一括表示装置１に特有のものとして記載されているが、生体情報測定装置の制御手段（ＣＰＵ）にその機能を実行させることも可能である。
【００１８】
次に、本発明の心電情報を構成する１２誘導ＳＴ計測値を同一画面上に一括表示する手順について、図２を用いて説明する。
図２は、図１の表示手段５に表示される本発明に特有の心電情報を構成する１２誘導ＳＴ計測値を同一画面上に一括表示した状態を示す図である。
【００１９】
図２では、本発明の心電情報を構成する１２誘導ＳＴ計測値である、四肢６誘導波形（I、II、III、aVR、aVL、aVF）及び胸部６誘導波形（V1、V2、V3、V4、V5、V6）をＳＴ特性表示部５１に一括表示している。
図２では、上記１２誘導の８時間（８：００〜１６：００）に亘るＳＴ計測値を、それぞれ帯状に表示している状態を表している。
なお、図２では理解のし易さのため実際表示とは異なって、１２誘導の内、aVR、II、aVFのみを表示して他の誘導の表示は省略している。
【００２０】
符号５２で示す領域は簡易イベント表示部であり、イベント項目表示部５３に示されるイベントが発生したタイミングで前記簡易イベント表示部５２にイベントマーク（例えば、符号５４）がマーキングされる。
前記イベントとしては、ＡＲＲＨＹＴＨＭＩＡ（不整脈アラーム／イベント）、ＬＩＭＩＴ（上下限アラーム）、ＴＥＣＨＮＩＣＡＬ（テクニカルアラーム／イベント：コネクタ抜け等）、ＯＰＥＲＡＴＩＯＮ（操作及び間歇的なパラメータ測定イベント：血圧測定等）が設定されている。
符号５５はイベントカーソルであり、操作者がイベントスキップキー５６を操作することによって所望のイベントマーク上にイベントカーソルを移動させると、詳細イベント表示部５７にイベントの詳細が表示される。図２では、イベントマーク５４にイベントカーソル５５があって、２００７年１０月２４日１２時４８分に誘導波形（II）のＳＴ値が上限リミット０．４０ｍVを超えて上限アラームが発生したことを示している。
【００２１】
また、図２におけるaVR、II、aVFの表示では、白黒の濃淡で示しているが、各ＳＴ計測値に応じて、複数の色階調（例えば、２５６階調）を割り当てて表示することによって、より視覚的に判別がし易くなる。
また、それぞれのＳＴ計測値の異常値には、特有の色階調を設定すると、異常状態の視認を容易にすることが可能になる。
図２の１２誘導の表示の順（並び）は、図２に示すものに限定するものではなく、Ｉ〜III、V1〜V6等に単純に並べることや、カブレラ誘導を意識した並びにすることも可能である。
表示手段５には、図２の心電情報を構成する１２誘導ＳＴ計測値の一括表示以外に、生体情報測定装置で測定した他の情報（例えば、心電図、脈波波形、脈拍数等）を同一画面上に表示しても良いことはいうまでもない。
【００２２】
次に、図２の表示形態では、各誘導毎のＳＴ計測値の表示が同一画面上で８時間という長期間に亘っているため、各ＳＴ計測値毎の表示の区別がつきにくいので、図３の拡大図を用いてＳＴ計測値毎の表示について説明する。
【００２３】
図３は、１２誘導のうちの１つ（この場合は、誘導波形(II)）のＳＴ計測値の時間軸上の一部を拡大したものである。
なお、図２の表示とは一致していない。
図３では、ＳＴ計測値毎に色階調が割当てられていることを示している。
図３では、（ａ）の区間は、４個のＳＴ計測値が−０．４０mVであったので、細破線が４本表示され、次の（ｂ）の区間は、８個のＳＴ計測値が−０．５mVであったので、太破線が８本表示されている。
また、次に（ｃ）の区間は、５個のＳＴ計測値が＋０．４０mVであったので、細実線が５本表示され、次の（ｄ）の区間は、５個のＳＴ計測値が＋０．４５mVであったので、中実線が５本表示され、次の（ｅ）の区間は、３個のＳＴ計測値が＋０．５mVであったので、太実線が３本表示され、次の（ｆ）の区間は、８個のＳＴ計測値が＋０．４０mVであったので、８本細実線が表示されている。
【００２４】
上述の如く、ＳＴ計測値に対して、時間軸に沿って色階調が割り当てられた線の表示が連続することによって、図２の如き長時間に亘ったトレンドを示す表示形態となる。
なお、図３の１本毎の線表示は、ＳＴ計測値の１回毎の値に基づいて色階調として割り当てられるのが原則ではあるが、複数回のＳＴ計測値の平均値に対して、１本の線の色階調を割り当てても良い。
【図面の簡単な説明】
【００２５】
【図１】本発明の心電情報を構成する１２誘導計測値の一括表示装置の構成を示すブロック図である。
【図２】本発明の心電情報を構成する１２誘導ＳＴ計測値を同一画面上に一括表示状態を示す図である。
【図３】１２誘導のうちの１つ（この場合は、誘導波形(II)）のＳＴ計測値の時間軸上の一部を拡大した図である。
【図４】従来の１２誘導の中のいくつかの誘導波形由来のＳＴレベルが異常値である場合を示す図である。
【符号の説明】
【００２６】
１：心電情報一括表示装置
２：色階調設定手段
３：ＳＴ計測値取得手段
４：色階調割当手段
５：表示手段
６：制御手段（ＣＰＵ）
５１：ＳＴ特性表示部
５２：簡易イベント表示部
５３：イベント項目表示部
５４：イベントマーク
５５：イベントカーソル
５６：イベントスキップキー
５７：詳細イベント表示部
【図１】
0005196296.tif 000002
【図２】
0005196296.tif 000003
【図３】
0005196296.tif 000004
【図４】
0005196296.tif 000005